(57)【要約】【課題】メッシュプロテクタの端部に簡便に取り付けて、離脱したりすることなく、メッシュプロテクタを蛇腹チューブに確実に固定し端部のほぐれを防止することができるようにする。【解決手段】ヒンジ部を介して連結した一対の半円筒体２２からなり、爪部２４が係合する係合部２５が対をなした結合手段を有するクリップ部材２０を用い、このクリップ部材２０のそれぞれ半円筒体２２の内周面に、メッシュプロテクタ１６の網目を貫通し蛇腹チューブ１０の蛇腹部１２の谷部１３に到達しうる突起部２８を設ける。【選択図】図１
2009097639.tif 000002
【特許請求の範囲】
【請求項１】
蛇腹チューブの蛇腹部を保護するために被せるプロテクタの固定構造であって、
前記プロテクタが前記網目筒状の形状を有するメッシュプロテクタと、
ヒンジ部を介して連結した一対の半円筒体からなり、爪部と、該爪部が係合する係合部が対をなした結合手段を有するクリップ部材を用い、前記クリップ部材のそれぞれ半円筒体の内周面に、前記メッシュプロテクタの網目を貫通し前記蛇腹チューブの蛇腹部の谷部に到達しうる突起部を設け、前記メッシュプロテクタを前記蛇腹チューブの蛇腹部に装着するとともに、前記爪部を係合部に引っ掛け、該クリップ部材で前記メッシュプロテクタを締め付けることを特徴とするメッシュプロテクタの固定構造。
【請求項２】
前記複数の突起部を軸方向に、前記蛇腹部のピッチに対応した間隔で配列してなることを特徴とする請求項１に記載のメッシュプロテクタの固定構造。
【請求項３】
前記クリップ本体を構成する半円筒体には、少なくと一方の端部内周面には、周方向に延び前記蛇腹部の谷部に嵌合可能なリブ部を形成したことを特徴とする請求項１に記載のメッシュプロテクタの固定構造。
【請求項４】
前記クリップ本体を構成する半円筒体は、薄肉のヒンジ部を介して連結したことを特徴とする請求項１に記載のメッシュプロテクタの固定構造。
【請求項５】
前記クリップ本体を構成する半円筒体は、２つ割りに分離していることを特徴とする請求項１に記載のメッシュプロテクタの固定構造。
【請求項６】
前記蛇腹チューブは、樹脂製のチューブであることを特徴とする請求項１乃至５のいずれかの項に記載のメッシュプロテクタの固定構造。
【請求項７】
前記メッシュプロテクタは、樹脂繊維を編み上げてなるプロテクタからなることを特徴とする請求項１乃至５のいずれかの項に記載のメッシュプロテクタの固定構造。
【発明の詳細な説明】
【技術分野】
【０００１】
本発明は、自動車の燃料配管等に使用される蛇腹チューブを保護するメッシュプロテクタの固定構造に関する。
【背景技術】
【０００２】
図６は、自動車の燃料配管に用いられている樹脂製の蛇腹チューブを示す。この種の蛇腹チューブ２は、チューブ自体の強度、耐食性が高い上に曲がり易いので、自動車車体の狭いスペースの中に組み入れる燃料配管等のチューブとして多用されている。この蛇腹チューブ２は、通常、蛇腹形状の管体からなる蛇腹部３と、コネクタなどを取り付けるためにストレート形状の直管部４とが一体になったチューブである。  
従来、配管のアレンジによっては蛇腹部３を保護するために、メッシュプロテクタと呼ばれる保護部材を装着することが行われている。蛇腹チューブ２の場合、蛇腹部３の周囲に配置されている配管や機器等の干渉物とこすれ合うことが起こる。蛇腹部３は柔らかく凹凸になっていることから、こすれて破れてしまう可能性もある。そのため、蛇腹部３を覆う保護部材としてメッシュプロテクタが用いられている。
【０００３】
そこで、図７は、蛇腹チューブに装着したメッシュプロテクタの外観を示す。この図７において、参照番号５は、メッシュプロテクタを示す。この種のメッシュプロテクタ５は、化学繊維を筒状に編みあげて製作したもので、伸縮性があり、軽くしかも摩擦に対して強いという性質がある。このメッシュプロテクタ５を装着した後は、位置がずれたり、端部の繊維がほつれないように何らの手段で固定される。  
従来、メッシュプロテクタ４の固定方法として一般的に行われていたのは、図６に示すように、粘着テープ６をメッシュプロテクタ５の端部に巻き付けることである。この粘着テープ６を巻くことにより、メッシュプロテクタ５の繊維のほつれを防ぐと同時に、軸方向にずれないようにメッシュプロテクタ５そのものを蛇腹チューブ２に固定することができる。
【発明の開示】
【発明が解決しようとする課題】
【０００４】
しかしながら、粘着テープ６でメッシュプロテクタ４を固定すると、粘着テープ６は蛇腹部３の凹凸のために接着面積が少なかったり、貼り付けた時のテンションにより、時間を経るとやがて剥がれてしまい、メッシュプロテクタ５がずれて、端部がほつれてしまうという問題がある。また、粘着テープ６をメッシュプロテクタ５に巻き付ける作業は、周囲の配管状況に合わせて必要な部位をその場で手作業により巻くので、粘着テープ５を巻くの時間がかかるという問題があった。
【０００５】
そこで、本発明の目的は、前記従来技術の有する問題点を解消し、メッシュプロテクタの端部に簡便に取り付けて、離脱したりすることなく、メッシュプロテクタを蛇腹チューブに確実に固定し端部のほぐれを防止することができ、しかも、ワンタッチで簡単に固定できるようにしたメッシュプロテクタの固定構造を提供することにある。
【課題を解決するための手段】
【０００６】
前記の目的を達成するために、本発明は、蛇腹チューブの蛇腹部を保護するために被せるプロテクタの固定構造であって、前記プロテクが前記網目筒状の形状を有するメッシュプロテクタと、ヒンジ部を介して連結した一対の半円筒体からなり、爪部と、該爪部が係合する係合部が対をなした結合手段を有するクリップ部材を用い、前記クリップ本体のそれぞれ半円筒体の内周面に、前記メッシュプロテクタの網目を貫通し前記蛇腹チューブの蛇腹部の谷部に到達しうる突起部を設け、前記メッシュプロテクタを前記蛇腹チューブの蛇腹部に装着するとともに、前記爪部を係合部に引っ掛け、該クリップ部材で前記メッシュプロテクタの端部を締め付けることを特徴とするものである。
【発明の効果】
【０００７】
本発明によれば、メッシュプロテクタの端部に簡便に取り付けて、離脱したりすることなく、メッシュプロテクタを蛇腹チューブに確実に固定し端部のほぐれを防止することができ、しかも、ワンタッチで簡単に固定することができる。
【発明を実施するための最良の形態】
【０００８】
以下、本発明によるメッシュプロテクタの固定構造の一実施形態について、添付の図面を参照しながら説明する。  
第１実施形態  
図１は、本発明の第１実施形態によるメッシュプロテクタの固定構造を示す。この図１において、参照番号１０は、蛇腹チューブを示す。この蛇腹チューブ１０は、例えば、ポリアミドなどの熱可塑性樹脂を材料とするチューブである。
【０００９】
蛇腹チューブ１０は、通常、蛇腹形状の管体からなる蛇腹部１２と、ストレート形状の端末部１４とが一体になっている。この端末部１４には、他の配管との接続のために、コネクタなどの継手が圧入される。
【００１０】
図１において、参照番号１６、蛇腹チューブ１０の蛇腹部１２に被せる保護部材として用いられるメッシュプロテクタを示す。このメッシュプロテクタ１６は、「メッシュ」とあるとおり、素材の繊維を編目状に編み込んで筒状にしたものでで、図７に示す従来から利用されてきたものと同じである。この実施形態では、メッシュプロテクタ１６は素材としてナイロン繊維などの化学繊維で編んだものが用いられている。自動車の燃料低圧配管に用いる蛇腹チューブを保護するものとしては、化学繊維製のものが好ましいが、金網製のもの、天然繊維製のものであってもよい。
【００１１】
次に、図２は、蛇腹チューブ１０の蛇腹部１２にメッシュプロテクタ１６を装着したあと、このメッシュプロテクタ１６を固定するためのクリップ部材を示す。
【００１２】
この図２において、クリップ部材２０は、短円筒を２つ割りにした一対の半円筒体２２から樹脂製の本体部が構成されている。この実施形態では、半円筒体２２は、ヒンジ部２３を介して連結されている。このヒンジ部２３は、一部が薄肉になっていることで、折り曲げ易くなっている。
【００１３】
それぞれ半円筒体２２、２２では、ヒンジ部２３で連結している方とは反対側の端部に結合手段を構成する爪部と係合部が形成されている。この場合、一方の半円筒体２２には爪部２４が形成され、他方の半円筒体２２には、係合部２５が形成されている。半円筒部２２の端部から係合部２５を形成する矩形片が直角に突き出ており、この矩形片に係合穴２６が形成されている。他方の半円筒体２２に形成されている爪部２４は、半円筒体の周方向に突き出ており、先端が直角に曲がった鉤形になっている。
【００１４】
このようなクリップ部材２０を構成する半円筒体２２の内周面には、次のような突起部２８が設けられている。すなわち、図２に示すように、メッシュプロテクタ１６を蛇腹チューブ１０の蛇腹部１２に装着すると、それぞれ半円筒体２２の内周面にある突起部２８は、メッシュプロテクタ１６の網目を貫通するだけでなく、突起部２８はその先端が蛇腹チューブ１０の蛇腹部１２の谷部１３に到達しうるだけの高さをもっている。このような突起部２８は、クリップ部材２０全体としてみると、１８０°対称になっていることが好ましい。
【００１５】
この実施形態では、それぞれ半円筒体２２の中央部に突起部２８が二つ軸方向に配列しており、蛇腹部１２のピッチに対応した間隔になっている。ここで、蛇腹部１２のピッチに対応しているという場合、隣合う谷部１３にそれぞれ突起部２８が係合する場合だけでなく、いくつか谷部１３を間において、突起部２８が係合するような配列も含まれる。なお、突起部２８は、それぞれ半円筒体２２に一つだけ設けるようにしてもよい。
【００１６】
本実施形態によるメッシュプロテクタの固定構造は、以上のように構成されるものであり、以下のような作用効果を有する。
【００１７】
まず、クリップ部材２０を用いて蛇腹チューブ１０の蛇腹部１２にメッシュプロテクタ１６を固定するには、クリップ部材２０のそれぞれ半円筒体２２を開いてから、蛇腹部１２に組み付け、閉じ合わせるときに係合部２５に爪部２４を係合させるだけでよい。このときも、それぞれ半円筒体２２の内周面にある突起部２８は、メッシュプロテクタ１６の網目を貫通するだけでなく、その先端は蛇腹チューブ１０の蛇腹部１２の谷部１３にまで到達している。
【００１８】
このようにクリップ部材２０にある突起部２８はメッシュプロテクタ１６の編み目を貫通してさらに蛇腹部１２の谷部１３まで差し込まれるので、蛇腹部１２とメッシュプロテクタ１６との間、メッシュプロテクタ１６とクリップ部材２０との間およびクリップ部材２０と蛇腹部１２との間のすべての位置関係が固定される。これにより、メッシュプロテクタ１６の端部が露出しないように保護し繊維のほつれを防止するだけにとどまらず、メッシュプロテクタ１６が軸方向に移動するのを確実に防止することができる。
【００１９】
なお、メッシュプロテクタ１６が化繊繊維による網目筒状の形状を有するメッシュプロテクタとの場合、クリップ部材２０でメッシュプロテクタ１６の端部をきつく締め付けることにより、半円筒体２２を開く方向に方向に力がかかって爪部２４と係合部２５とがより強く係合し合うため、クリップ部材２０が外れにくくなる利点がある。
【００２０】
第２実施形態  
次に、本発明の第２実施形態によるメッシュプロテクタの固定構造について、図４を参照しながら説明する。
【００２１】
この第２実施形態では、半円筒体２２の一方の端部内周面にリブ３０が円周方向に形成されている。その他の構成要素は、第１実施形態によるクリップ部材２０と同じであり、同一の構成要素には同一の参照番号を付してその説明は省略する。  
この第２実施形態によるクリップ部材２０では、リブ３０は、半円筒体２２の内周面から垂直に立ち上がるように形成されている。このリブ３０の厚さは、ちょうど蛇腹部１２の谷部１３の幅よりも薄く形成されており、リブ３０は蛇腹部１２の谷部１３に嵌るようになっている。
【００２２】
この第２実施形態によれば、クリップ本体を構成する半円筒体２２には、少なくとも一方の端部内周面には、周方向に延び前記蛇腹部１２の谷部１３に嵌合可能なリブ３０を形成したので、このリブ３０を蛇腹部１２の谷部１３に差し込むことで、クリップ部材２０の位置が決まり、突起部２８を確実に蛇腹部１２の山と山の間の谷部１３に差し込むことができる。
【００２３】
第３実施形態  
次に、図５は、本発明の第３実施形態によるメッシュプロテクタの固定構造を示す。この第３実施形態では、第１実施形態および第２実施形態と異なり、クリップ部材２０を構成する半円筒体２２は、ヒンジ部２３を介して繋がっておらず、２つ割りに分離している。この点以外は、第１実施形態および第２実施形態と同一であり、同一の構成要素には同一の参照番号を付してその説明は省略する。
【００２４】
この第３実施形態によるクリップ部材２０では、それぞれ半円筒部２２の一端部には、先端が直角に曲がった鉤状の爪部２４が形成され、他方の端部には、係合穴を有する係合部２５が形成されている。
【００２５】
第１実施形態では薄肉のヒンジ部２３が切れる可能性があるが、この第３実施形態によれば、そのようなことなく、クリップ部材２０でメッシュプロテクタ１６を確実に固定することができる。
【図面の簡単な説明】
【００２６】
【図１】本発明によるメッシュプロテクタの固定構造の一実施形態を示す断面図である。
【図２】同メッシュプロテクタの固定構造に用いるクリップ部材を示す図で、（ａ）は平面図、（ｂ）は側面図である。
【図３】本発明の一実施形態によるメッシュプロテクタの固定構造を示す側面図である。
【図４】本発明によるメッシュプロテクタの固定構造の第２実施形態を示す断面図である。
【図５】同メッシュプロテクタの固定構造に用いるクリップ部材の他の構成例を示す正面図である。
【図６】従来のメッシュプロテクタの固定構造を示す断面図である。
【図７】従来のメッシュプロテクタの固定構造を示す側面図である。
【符号の説明】
【００２７】
１０  蛇腹チューブ
１２  蛇腹部
１４  端末部
１６  メッシュプロテクタ
２０  クリップ部材
２２  半円筒体
２３  ヒンジ部
２４  爪部
２５  係合部
２８  突起部
３０  リブ
【図１】
2009097639.tif 000003
【図２】
2009097639.tif 000004
【図３】
2009097639.tif 000005
【図４】
2009097639.tif 000006
【図５】
2009097639.tif 000007
【図６】
2009097639.tif 000008
【図７】
2009097639.tif 000009
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
蛇腹チューブの蛇腹部を保護するために被せるプロテクタの固定構造であって、
前記プロテクタが網目筒状の形状を有するメッシュプロテクタと、
ヒンジ部を介して連結した一対の半円筒体からなり、爪部と、該爪部が係合する係合部が対をなした結合手段を有するクリップ部材を用い、前記クリップ部材のそれぞれ半円筒体の内周面に、メッシュプロテクタの移動を阻止可能なように前記メッシュプロテクタの網目を貫通してその先端が前記蛇腹チューブの蛇腹部の谷部に到達する先の尖った突起部を設け、前記メッシュプロテクタを前記蛇腹チューブの蛇腹部に装着するとともに、前記爪部を係合部に引っ掛け、該クリップ部材で前記メッシュプロテクタを締め付けることを特徴とするメッシュプロテクタの固定構造。
【請求項２】
前記複数の突起部を軸方向に、前記蛇腹部のピッチに対応した間隔で配列してなることを特徴とする請求項１に記載のメッシュプロテクタの固定構造。
【請求項３】
前記クリップ部材を構成する半円筒体には、少なくとも一方の端部内周面には、周方向に延び前記蛇腹部の谷部に嵌合可能なリブ部を形成したことを特徴とする請求項１に記載のメッシュプロテクタの固定構造。
【請求項４】
前記クリップを構成する半円筒体は、薄肉のヒンジ部を介して連結したことを特徴とする請求項１に記載のメッシュプロテクタの固定構造。
【請求項５】
前記クリップ本体を構成する半円筒体は、前記ヒンジ部を介して連結される替わりに２つ割りに分離していることを特徴とする請求項１に記載のメッシュプロテクタの固定構造。
【請求項６】
前記蛇腹チューブは、樹脂製のチューブであることを特徴とする請求項１乃至５のいずれかの項に記載のメッシュプロテクタの固定構造。
【請求項７】
前記メッシュプロテクタは、樹脂繊維を編み上げてなるプロテクタからなることを特徴とする請求項１乃至５のいずれかの項に記載のメッシュプロテクタの固定構造。
【手続補正２】
【補正対象書類名】明細書
【補正対象項目名】０００６
【補正方法】変更
【補正の内容】
【０００６】
前記の目的を達成するために、本発明は、蛇腹チューブの蛇腹部を保護するために被せるプロテクタの固定構造であって、前記プロテクタが網目筒状の形状を有するメッシュプロテクタと、ヒンジ部を介して連結した一対の半円筒体からなり、爪部と、該爪部が係合する係合部が対をなした結合手段を有するクリップ部材を用い、前記クリップ部材のそれぞれ半円筒体の内周面に、メッシュプロテクタの移動を阻止可能なように前記メッシュプロテクタの網目を貫通してその先端が前記蛇腹チューブの蛇腹部の谷部に到達する先の尖った突起部を設け、前記メッシュプロテクタを前記蛇腹チューブの蛇腹部に装着するとともに、前記爪部を係合部に引っ掛け、該クリップ部材で前記メッシュプロテクタを締め付けることを特徴とするものである。